(57)【要約】【課題】被取付部材への取り付け作業性及びリサイクル性に優れ、さらに、被取付部材への固定強度を高めることができるワイヤハーネスの取付具を提供する。【解決手段】取付具１０は、ワイヤハーネス７０を保持する保持部２０を有し、バンパー６０に突設されたリブ６１の一方の表面に添う受け面１９が形成されたベース部材１１と、ベース部材の受け面に載置されたリブの両側にあってヒンジ１４，１５を介して回動可能にその基端をベース部材に接続されており、回動されることによりベース部材の受け面に対向配置される一組の腕部材１２，１３と、を備え、腕部材の基端部におけるベース部材の受け面との対向面には係止爪３１，３３が突設されており、ベース部材の受け面に載置されたリブを該受け面と回動された一組の腕部材の基端部とで挟持し、腕部材の係止爪をリブに食い込ませて該リブに取り付けられ、一組の腕部材の係止爪をリブに食い込ませた状態に一組の腕部材を互いに固定するロック手段２５，２７を有している。【選択図】図１
2007215353.tif 000002
【特許請求の範囲】
【請求項１】
ワイヤハーネスを被取付部材へ固定する取付具であって、
前記ワイヤハーネスを保持する保持部を有し、前記被取付部材に突設された支持片の一方の表面に添う受け面が形成されたベース部材と、
前記ベース部材の受け面に載置された前記支持片の両側にあってヒンジを介して回動可能にその基端を前記ベース部材にそれぞれ接続されており、回動されることにより前記ベース部材の受け面に対向配置される一組の腕部材と、
を備え、
前記腕部材の基端部における前記ベース部材の受け面との対向面には係止爪が突設されており、
前記ベース部材の受け面に載置された前記支持片を該受け面と回動された一組の前記腕部材の基端部とで挟持し、前記腕部材の係止爪を前記支持片に食い込ませて該支持片に取り付けられ、
一組の前記腕部材の係止爪を前記支持片に食い込ませた状態に一組の該腕部材を互いに固定するロック手段を有していることを特徴とする取付具。
【請求項２】
前記ロック手段は、一方の前記腕部材の先端部に設けられた雄ロック部と、他方の前記腕部材の先端部に設けられた雌ロック部と、で構成されており、
前記雌雄ロック部は、一組の前記腕部材が回動されて先端部が交差することにより互いに係合することを特徴とする請求項１に記載の取付具。
【請求項３】
前記ベース部材の保持部には、前記ワイヤハーネスが挿入される保持溝が形成されており、
前記保持溝を画成し該保持溝に挿入された前記ワイヤハーネスを挟んで対向する前記ベース部材の一組の壁部の対向面が、該ワイヤハーネスの長手方向に互い違いの凹凸状とされていることを特徴とする請求項１又は請求項２に記載の取付具。
【請求項４】
前記保持溝のワイヤハーネス挿入用開口を画成している前記ベース部材の一組の壁部の縁に、他方の壁部に向けて突出する抜け止め突起がそれぞれ設けられていることを特徴とする請求項３に記載の取付具。
【請求項５】
一組の前記腕部材、前記ヒンジ、及び前記ベース部材が、樹脂材料により一体成形されていることを特徴とする請求項１〜４のいずれかに記載の取付具。
【請求項６】
一組の前記腕部材、前記ヒンジ、及び前記ベース部材を形成する前記樹脂材料が、前記支持片を形成する材料よりも高硬度な樹脂材料であることを特徴とする請求項５に記載の取付具。
【発明の詳細な説明】
【技術分野】
【０００１】
本発明は、被取付部材にワイヤハーネスを固定するためのワイヤハーネスの取付具に関する。
【背景技術】
【０００２】
自動車等の車両において、ワイヤハーネスは、パネルやバンパーなどの被取付部材に固定されて車両の各所に配索されている。これらの被取付部材にワイヤハーネスを固定するための従来のワイヤハーネスの取付具として、図９に示すものが知られている（例えば、特許文献１参照）。
【０００３】
図９に示すように、ワイヤハーネス１００は、取付具であるハーネス保持部材１０１及びリブクリップ部材１０２により、被取付部材であるバンパー１０３に固定されている。バンパー１０３にはリブ１０４が突設されており、ワイヤハーネス１００を保持した合成樹脂製のハーネス保持部材１０１は、その挿通孔１０５にリブ１０４を挿通させて、リブ１０４に取り付けられている。
【０００４】
リブクリップ部材１０２は、金属板を二つ折りにしてその対向片部１０６，１０７でリブ１０４を挟持可能に形成されて、リブ１０４の先端部に取り付けられている。リブクリップ部材１０２の片部１０６，１０７の少なくとも一方には、リブクリップ部材１０２がリブ１０４の先端部に取り付けられた状態においてリブ１０４の先端側に向けて延びて且つ内側に起こされた押え片部１０８が形成されており、この押え片部１０８のエッジ部分がリブ１０４に食い込んで当該リブ１０４からのリブクリップ部材１０２の抜け止めがなされている。
【０００５】
そして、リブクリップ部材１０２の片部１０６，１０７の少なくとも一方の端部には、リブ１０４の基端側に向けて延びて且つ外側に起こされた抜け止め片部１０９が形成されており、この抜け止め片部１０９がリブ１０４に取り付けられたハーネス保持部材１０１に当接してリブ１０４からのハーネス保持部材１０１の抜け止めがなされている。
【０００６】
【特許文献１】特開２００４−３５７４５６号公報
【発明の開示】
【発明が解決しようとする課題】
【０００７】
しかしながら、上記特許文献１に開示された従来のワイヤハーネスの取付具において、押え片部１０８は、リブ１０４との接触面とは反対側の面を何ら支持されておらず、よって、自身の剛性、即ちリブクリップ部材１０２を形成する金属板の剛性のみでそのエッジ部をリブ１０４に食い込ませる構成である。そのため、押え片部１０８のエッジ部のリブ１０４への食い込みが不十分となって、リブクリップ部材１０２及びハーネス保持部材１０１がリブ１０４から脱落してしまう虞があり、リブクリップ部材１０２のリブ１０４への取り付け強度が十分とは言えない。
【０００８】
そして、これに対処するためにリブクリップ部材１０２を形成する金属板に高剛性のものを用いた場合には、リブクリップ部材１０２をリブ１０４に取り付ける際の作業性、並びにリブクリップ部材１０２及びハーネス保持部材１０１をリブ１０４から取り外す際の作業性が低下する虞がある。
【０００９】
また、上記特許文献１に開示された従来のワイヤハーネスの取付具では、まず、リブ１０４にリブクリップ部材１０２を取り付け、その後にリブ１０４及びリブクリップ部材１０２を共に挿通孔１０５に挿通させながらハーネス保持部材１０１をリブ１０４に取り付ける構成である。即ち、ワイヤハーネス１００をバンパー１０３に固定するのに、リブクリップ部材１０２の取り付け、及びハーネス保持部材１０１の取り付けの２工程を必要とし、作業効率に劣る。
【００１０】
また、上記特許文献１に開示された従来のワイヤハーネスの取付具においては、合成樹脂製のハーネス保持部材１０１に対し、リブクリップ部材１０２は金属板からなり、リサイクルにあたっては解体後にハーネス保持部材１０１とリブクリップ部材１０２とを分別する必要があり、よって、リサイクル性に劣る。
【００１１】
本発明は、上述した事情に鑑みてなされたものであり、その目的は、被取付部材への取り付け作業性及びリサイクル性に優れ、さらに、被取付部材への取り付け強度を高めることができるワイヤハーネスの取付具を提供することにある。
【課題を解決するための手段】
【００１２】
上記した目的は、本発明に係る下記（１）〜（８）のワイヤハーネスの取付具により達成される。
【００１３】
（１）ワイヤハーネスを被取付部材へ固定する取付具であって、
前記ワイヤハーネスを保持する保持部を有し、前記被取付部材に突設された支持片の一方の表面に添う受け面が形成されたベース部材と、
前記ベース部材の受け面に載置された前記支持片の両側にあってヒンジを介して回動可能にその基端を前記ベース部材にそれぞれ接続されており、回動されることにより前記ベース部材の受け面に対向配置される一組の腕部材と、
を備え、
前記腕部材の基端部における前記ベース部材の受け面との対向面には係止爪が突設されており、
前記ベース部材の受け面に載置された前記支持片を該受け面と回動された一組の前記腕部材の基端部とで挟持し、前記腕部材の係止爪を前記支持片に食い込ませて該支持片に取り付けられ、
一組の前記腕部材の係止爪を前記支持片に食い込ませた状態に一組の該腕部材を互いに固定するロック手段を有していることを特徴とする取付具。
【００１４】
（２）前記ロック手段は、一方の前記腕部材の先端部に設けられた雄ロック部と、他方の前記腕部材の先端部に設けられた雌ロック部と、で構成されており、
前記雌雄ロック部は、一組の前記腕部材が回動されて先端部が交差することにより互いに係合することを特徴とする上記（１）に記載の取付具。
【００１５】
（３）前記雌ロック部には、前記雄ロック部を係止する係合部が前記腕部材の先端から基端に向け整列して複数設けられていることを特徴とする上記（２）に記載の取付具。
【００１６】
（４）前記ベース部材の保持部には、前記ワイヤハーネスが挿入される保持溝が形成されており、
前記保持溝を画成し該保持溝に挿入された前記ワイヤハーネスを挟んで対向する前記ベース部材の一組の壁部の対向面が、該ワイヤハーネスの長手方向に互い違いの凹凸状とされていることを特徴とする上記（１）〜（３）のいずれかに記載の取付具。
【００１７】
（５）前記保持溝のワイヤハーネス挿入用開口を画成している前記ベース部材の一組の壁部の縁に、他方の壁部に向けて突出する抜け止め突起がそれぞれ設けられていることを特徴とする上記（４）に記載の取付具。
【００１８】
（６）前記抜け止め突起が、前記ベース部材の一組の壁部の凹凸状とされた対向面における凹状部分に隣接して設けられていることを特徴とする上記（５）に記載の取付具。
【００１９】
（７）一組の前記腕部材、前記ヒンジ、及び前記ベース部材が、樹脂材料により一体成形されていることを特徴とする上記（１）〜（６）のいずれかに記載の取付具。
【００２０】
（８）一組の前記腕部材、前記ヒンジ、及び前記ベース部材を形成する前記樹脂材料が、前記支持片を形成する材料よりも高硬度な樹脂材料であることを特徴とする上記（７）に記載の取付具。
【発明の効果】
【００２１】
上記（１）の構成のワイヤハーネスの取付具によれば、腕部材が回動されるに伴って該腕部材の基端部とベース部材の受け面との隙間が次第に狭められ、ベース部材の受け面と一組の腕部材の基端部とで被取付部材の支持片は挟持され、各腕部材の係止爪が支持片に食い込み、それにより取付具は支持片に取り付けられる。そして、一組の腕部材は、その係止爪を支持片に食い込ませた状態でロック手段により互いに固定される。互いに固定された一組の腕部材は各々の回動が相互に規制され、腕部材の基端部とベース部材の受け面との隙間が広がることがない。これにより、係止爪の支持片への食い込みが弛むことを防止することができ、取付具の被取付部材への取り付け強度を確保することができる。
【００２２】
また、上記（１）の構成のワイヤハーネスの取付具によれば、一組の腕部材はヒンジを介してベース部材にそれぞれ接続されており、つまり、これら一組の腕部材、ヒンジ、及びベース部材は１部品として構成されているから、ワイヤハーネスを保持するハーネス保持部材及びリブを挟持するリブクリップ部材の２部品で構成されている従来の取付具に比べて支持片への取り付けが容易であり、作業性に優れる。
【００２３】
上記（２）の構成のワイヤハーネスの取付具によれば、一組の腕部材の先端部に設けられロック手段を構成する雌雄ロック部は、一組の腕部材が回動されて先端部が交差することにより互いに係合し、以後は一組の腕部材の先端部が離反するような腕部材の回動、つまりは腕部材の基端部とベース部材の受け面との隙間が広がるような腕部材の回動が規制される。これにより、係止爪の支持片への食い込みが弛むことを防止することができ、取付具の被取付部材への取り付け強度を確保することができる。
【００２４】
上記（３）の構成のワイヤハーネスの取付具によれば、雌ロック部には雄ロック部を係止する係合部が腕部材の先端から基端に向け整列して複数設けられており、支持片の厚みに応じて雄ロック部が係合する雌ロック部の係合部を適宜選択することにより、厚みの異なる種々の支持片に取り付け可能となる。これにより取付具の汎用性を向上させることができる。
【００２５】
また、上記（３）の構成のワイヤハーネスの取付具によれば、一組の腕部材の基端部とベース部材の受け面との隙間が支持片の厚みより広くなるような雌ロック部の適宜な係合部に雄ロック部を係合させた仮係止状態にて上記隙間に支持片を差し込み、その後に雌ロック部の基端寄りの係合部に雄ロック部を係合させて本係止する、即ち一組の腕部材の基端部とベース部材の受け面とで支持片を挟持して腕部材の係止爪を支持片に食い込ませるようにすれば、取付具の支持片への取り付け作業性を一層向上させることができる。
【００２６】
上記（４）の構成のワイヤハーネスの取付具によれば、ワイヤハーネスは、対向面が互い違いの凹凸状とされた一組の壁部により画成された保持溝に収容され、該保持溝内で蛇行した状態に保持される。これにより、取付具がワイヤハーネスに対して該ワイヤハーネスの長手方向に相対変位することを防止することができ、ワイヤハーネスを確実に保持することができる。
【００２７】
上記（５）の構成のワイヤハーネスの取付具によれば、一組の壁部の縁にそれぞれ設けられた抜け止め突起により保持溝のワイヤハーネス挿入用開口が狭められている。これにより、挿入用開口からのワイヤハーネスの飛び出しを防止することができ、ワイヤハーネスを確実に保持することができる。
【００２８】
上記（６）の構成のワイヤハーネスの取付具によれば、ベース部材の一組の壁部の凹凸状とされた対向面における凹状部分に隣接して抜け止め突起が設けられている。ワイヤハーネスを保持溝へ挿入する際には一組の壁部の対向面の凹凸に応じて該ワイヤハーネスを蛇行させることとなるが、ここで抜け止め突起が凸状部分に隣接して設けられている場合には一組の壁部の対向面の凹凸以上にワイヤハーネスを蛇行させる必要があるのに対し、抜け止め突起を凹状部分に隣接して設けることでかかる不都合を回避でき、ワイヤハーネスを比較的容易に保持溝に挿入することができる。
【００２９】
上記（７）の構成のワイヤハーネスの取付具によれば、一組の腕部材、ヒンジ、及びベース部材が、樹脂材料により一体成形されており、これら部材の分別の必要がなく、リサイクル性に優れ、また、コストを低減することができる。
【００３０】
上記（８）の構成のワイヤハーネスの取付具によれば、一組の腕部材、ヒンジ、及びベース部材を形成する樹脂材料が支持片を形成する材料よりも高硬度な樹脂材料であるから、腕部材に設けられた係止爪を確実に支持片に食い込ませることができ、取付具の被取付部材への取り付け強度を確保することができる。
【００３１】
このように、本発明によれば、被取付部材への取り付け作業性及びリサイクル性に優れ、さらに、被取付部材への取り付け強度を高めることができるワイヤハーネスの取付具を提供することができる。
【発明を実施するための最良の形態】
【００３２】
以下、本発明のワイヤハーネスの取付具に係る好適な実施形態を図面に基づいて詳細に説明する。
【００３３】
図１は本発明に係る取付具及び被取付部材の一実施形態の斜視図、図２は取付具の斜視図、図３は一組の腕部材が開かれた状態を示す取付具の斜視図、図４は図３とは反対側から見た取付具の斜視図、図５は仮係止状態にある取付具の正面図、図６は本係止状態にある取付具の正面図、図７は仮係止状態で被取付部材に仮留めされた取付具の斜視図、図８は被取付部材への取り付けが完了した本係止状態の取付具の斜視図である。
【００３４】
図１に示すように、ワイヤハーネス７０は、取付具１０により被取付部材であるバンパー６０に固定される。バンパー６０は合成樹脂製であって、その裏面には、比較的薄い矩形板状の支持片としてのリブ６１が一体に突設されている。取付具１０は、バンパー６０の裏面に正対しつつリブ６１に取り付けられる。尚、以下の説明において、取付具１０のリブ６１への取り付け方向を取付具１０についての前方として規定する。
【００３５】
さらに図２〜図６を参照して、取付具１０は、ワイヤハーネス７０を保持するベース部材１１を備えている。ベース部材１１は略角柱状であって、その後面には、ベース部材１１の長手方向の一端から他端まで伸びる断面略Ｕ字状の保持溝２０が刻設されている。ワイヤハーネス７０は、その長手方向をベース部材１１の長手方向に一致させて保持溝２０に挿入され、該保持溝２０内に保持されている。
【００３６】
特に図５及び図６に示すように、保持溝２０を画成し該保持溝２０に挿入されたワイヤハーネス７０を挟んで対向するベース部材１１の上壁部１７及び下壁部１８の対向面２３，２４は、その長手方向に互い違いの凹凸状（波状）とされており、そして、対向面２３，２４の対向間隔は、ワイヤハーネス７０の径よりも僅かに小さく設定されている。従って、ワイヤハーネス７０は、保持溝２０内で対向面２３，２４の凹凸に添って蛇行した状態に保持されている。
【００３７】
ベース部材１１の後面に表れている保持溝２０のハーネス挿入用開口を画成するベース部材１１の上壁部１７及び下壁部１８の縁には、他方の壁部に向けて突出する複数の抜け止め突起２１，２２がそれぞれ設けられている。尚、複数の抜け止め突起２１は、上壁部１７の対向面２３における凹状部分に隣接して設けられており、同様に、複数の抜け止め突起２２は、下壁部１８の対向面２４における凹状部分に隣接して設けられている。
【００３８】
ベース部材１１の上面は、取付具１０がリブ６１へ取り付けられる際に該リブ６１の下面に添う平坦な受け面１９とされている。受け面１９の幅（ベース部材１１の長手方向の寸法）は、リブ６１の幅に略一致している。
【００３９】
取付具１０は、さらに一組の帯板状の腕部材１２，１３を備えている。腕部材１２は、ベース部材１１の受け面１９の幅方向の一端にヒンジ１４を介してその基端を接続しており、腕部材１３は、ベース部材１１の受け面１９の幅方向の他端にヒンジ１５を介してその基端を接続している。これら腕部材１２，１３は、それぞれヒンジ１４，１５を中心に回動可能とされている。
【００４０】
ベース部材１１、一組の腕部材１２，１３、及びヒンジ１４，１５は、バンパー６０及びこれと一体のリブ６１を形成している材料よりも高硬度な合成樹脂により一体成形されている。尚、ヒンジ１４，１５については薄肉に形成されることで可撓性を付与されている。
【００４１】
腕部材１２，１３は、図３から図２に示す向きに個々に回動された際にはベース部材１１の受け面１９に対向配置されるが、共に回動された場合には両先端部が交差（干渉）する長さに設定されている。そして、腕部材１２の先端部には雄ロック部２５が、腕部材１３の先端部には雌ロック部２７が設けられている。
【００４２】
雄ロック部２５は、腕部材１２の先端から基端側に向けて末広がりに伸びる一対の弾性係止片２６，２６を有している。一方、雌ロック部２７は、雄ロック部２５の一対の弾性係止片２６，２６を挿通させる挿通孔を有し、そして、この挿通孔の周囲には該挿通孔を抜け出た雄ロック部２５の一対の弾性係止片２６，２６を係止する係合部２８，２９を有している。
【００４３】
腕部材１２，１３が共に回動されて両先端部が交差する際に、雄ロック部２５は一対の弾性係止片２６，２６を変形させながら雌ロック部２７の挿通孔を貫通し、該挿通孔を抜け出た雄ロック部２５の一対の弾性係止片２６，２６が復元して雌ロック部２７の係合部２８又は２９に係合する。雌雄ロック部２５，２７が係合した際には、腕部材１２，１３は、交差した両先端部が離反する向きの回動を規制される。
【００４４】
雌雄ロック部２５，２７が係合した状態で、腕部材１２，１３はベース部材１１の受け面１９に対し傾斜しているが、腕部材１２の基端部におけるベース部材１１の受け面１９との対向面には、受け面１９と略平行となる斜面３０ａを有する突部３０が設けられており、腕部材１３の基端部におけるベース部材１１の受け面１９との対向面には、受け面１９と略平行となる斜面３２ａを有する突部３２が設けられている。そして、突部３０の斜面３０ａにはさらに三角錐状の係止爪３１が突設されており、突部３２の斜面３２ａにはさらに三角錐状の係止爪３３が突設されている。
【００４５】
腕部材１２，１３が両先端部を交差させる向きに回動されるに伴い、腕部材１２の突部３０の斜面３０ａ及び腕部材１３の突部３２の斜面３２ａとベース部材１１の受け面１９との隙間は次第に狭められる。取付具１０は、腕部材１２の突部３０の斜面３０ａ及び腕部材１３の突部３２の斜面３２ａとベース部材１１の受け面１９とでバンパー６０のリブ６１を挟持し、斜面３０ａ，３２ａに設けられた係止爪３１，３３をリブ６１に食い込ませることにより、リブ６１に取り付けられる。
【００４６】
ここで、雌ロック部２７の係合部２８，２９は、腕部材１３の先端から基端に向け整列して設けられている。図５及び図６を参照して、腕部材１２の突部３０の斜面３０ａ及び腕部材１３の突部３２の斜面３２ａとベース部材１１の受け面１９との隙間は、腕部材１３の先端寄りの係合部２８に腕部材１２の雄ロック部２５が係合した際に比べ、腕部材１３の基端寄りの係合部２９に腕部材１２の雄ロック部２５が係合した際に一層狭められる。
【００４７】
そして、本実施形態の取付具１０においては、腕部材１３の先端寄りの係合部２８に腕部材１２の雄ロック部２５が係合した際の腕部材１２の係止爪３１の突端及び腕部材１３の係止爪３３の突端とベース部材１１の受け面１９との隙間がバンパー６０のリブ６１の厚みより広くなるように設定されており、そして、腕部材１３の基端寄りの係合部２９に腕部材１２の雄ロック部２５が係合した際の腕部材１２の突部３０の斜面３０ａ及び腕部材１３の突部３２の斜面３２ａとベース部材１１の受け面１９との隙間がリブ６１の厚みより狭くなるように設定されている。
【００４８】
このように構成された取付具１０をバンパー６０のリブ６１に取り付けるに際しては、例えば、図１及び図７に示すように、予め腕部材１３の先端寄りの係合部２８に腕部材１２の雄ロック部２５を係合させた仮係止状態としておき、腕部材１２の係止爪３１の突端及び腕部材１３の係止爪３３の突端とベース部材１１の受け面１９との隙間にリブ６１が差し込まれるようにして取付具１０をリブ６１に仮留めする。
【００４９】
次いで、図８に示すように、腕部材１２，１３をベース部材１１の受け面１９側にさらに倒すように回動させ、腕部材１２の突部３０の斜面３０ａ及び腕部材１３の突部３２の斜面３２ａとベース部材１１の受け面１９とでリブ６１を挟持すると共に腕部材１２の係止爪３１及び腕部材１３の係止爪３３をリブ６１に食い込ませ、そして、腕部材１３の基端寄りの係合部２９に腕部材１２の雄ロック部２５が係合させて本係止し、腕部材１２，１３を互いに固定する。以上で、取付具１０のリブ６１への取り付けが完了する。
【００５０】
尚、取付具１０をリブ６１から取り外すに際しては、雌雄ロック部２５，２７の係合を解除し、腕部材１２，１３の交差した両先端部が解かれる向きに腕部材１２，１３を回動させ、腕部材１２の係止爪３１及び腕部材１３の係止爪３３のリブ６１への食い込みを解除する。これにより、取付具１０はリブ６１から容易に取り外される。
【００５１】
以上説明したように、本実施形態のワイヤハーネスの取付具１０によれば、腕部材１２，１３が回動されるに伴って該腕部材１２，１３の基端部とベース部材１１の受け面１９との隙間が次第に狭められ、ベース部材１１の受け面１９と一組の腕部材１２，１３の基端部とでバンパー６０のリブ６１は挟持され、腕部材１２，１３の係止爪３１，３３がリブ６１に食い込み、それにより取付具１０はリブ６１に取り付けられる。そして、一組の腕部材１２，１３は、その係止爪３１，３３をリブ６１に食い込ませた状態でロック手段を構成する雌雄ロック部２５，２７より互いに固定される。互いに固定された一組の腕部材１２，１３は各々の回動が相互に規制され、腕部材１２，１３の基端部とベース部材１１の受け面１９との隙間が広がることがない。これにより、係止爪３１，３３のリブ６１への食い込みが弛むことを防止することができ、取付具１０のリブ６１への取り付け強度を確保することができる。
【００５２】
また、本実施形態のワイヤハーネスの取付具１０によれば、一組の腕部材１２，１３はヒンジ１４，１５を介してベース部材１１にそれぞれ接続されており、つまり、これら一組の腕部材１２，１３、ヒンジ１４，１５、及びベース部材１１は１部品として構成されているから、ワイヤハーネスを保持するハーネス保持部材及びリブを挟持するリブクリップ部材の２部品で構成されている従来の取付具に比べて支持片への取り付けが容易であり、作業性に優れる。
【００５３】
また、本実施形態のワイヤハーネスの取付具１０によれば、一組の腕部材１２，１３の先端部に設けられロック手段を構成する雌雄ロック部２５，２７は、一組の腕部材１２，１３が回動されて先端部が交差することにより互いに係合し、以後は一組の腕部材１２，１３の先端部が離反するような腕部材の回動、つまりは腕部材１２，１３の基端部とベース部材１１の受け面１９との隙間が広がるような腕部材の回動が規制される。これにより、係止爪３１，３３のリブ６１への食い込みが弛むことを防止することができ、取付具１０のリブ６１への取り付け強度を確保することができる。
【００５４】
また、本実施形態のワイヤハーネスの取付具１０によれば、雌ロック部２７には雄ロック部２５を係止する係合部２８，２９が腕部材１３の先端から基端に向け整列して複数設けられており、リブ６１の厚みに応じて雄ロック部２５が係合する雌ロック部２７の係合部２８又は２９を適宜選択することにより、厚みの異なる種々のリブ６１に取り付け可能となる。これにより取付具１０の汎用性を向上させることができる。
【００５５】
また、本実施形態のワイヤハーネスの取付具１０によれば、一組の腕部材１２，１３の基端部とベース部材１１の受け面１９との隙間がリブ６１の厚みより広くなるような雌ロック部２７の適宜な係合部２８に雄ロック部２５を係合させた仮係止状態にて上記隙間にリブ６１を差し込み、その後に雌ロック部２７の基端寄りの係合部２９に雄ロック部２５を係合させて本係止する、即ち一組の腕部材１２，１３の基端部とベース部材１１の受け面１９とでリブ６１を挟持して腕部材１２，１３の係止爪３１，３３をリブ６１に食い込ませるようにすれば、取付具１０のリブ６１への取り付け作業性を一層向上させることができる。
【００５６】
また、本実施形態のワイヤハーネスの取付具１０によれば、ワイヤハーネス７０は、対向面２３，２４が互い違いの凹凸状とされた一組の壁部１７，１８により画成された保持溝２０に収容され、該保持溝２０内で蛇行した状態に保持される。これにより、取付具１０がワイヤハーネス７０に対して該ワイヤハーネスの長手方向に相対変位することを防止することができ、ワイヤハーネス７０を確実に保持することができる。
【００５７】
また、本実施形態のワイヤハーネスの取付具１０によれば、一組の壁部１７，１８の縁にそれぞれ設けられた抜け止め突起２１，２２により保持溝２０のワイヤハーネス挿入用開口が狭められている。これにより、挿入用開口からのワイヤハーネス７０の飛び出しを防止することができ、ワイヤハーネス７０を確実に保持することができる。
【００５８】
また、本実施形態のワイヤハーネスの取付具１０によれば、ベース部材１１の一組の壁部１７，１８の凹凸状とされた対向面２３，２４における凹状部分に隣接して抜け止め突起２１，２２が設けられている。ワイヤハーネス７０を保持溝２０へ挿入する際には一組の壁部１７，１８の対向面２３，２４の凹凸に応じて該ワイヤハーネス７０を蛇行させることとなるが、ここで抜け止め突起２１，２２が凸状部分に隣接して設けられている場合には一組の壁部１７，１８の対向面２３，２４の凹凸以上にワイヤハーネス７０を蛇行させる必要があるのに対し、抜け止め突起２１，２２を凹状部分に隣接して設けることでかかる不都合を回避でき、ワイヤハーネス７０を比較的容易に保持溝２０に挿入することができる。
【００５９】
また、本実施形態のワイヤハーネスの取付具１０によれば、一組の腕部材１２，１３、ヒンジ１４，１５、及びベース部材１１が、樹脂材料により一体成形されており、これら部材の分別の必要がなく、リサイクル性に優れ、また、コストを低減することができる。
【００６０】
また、本実施形態のワイヤハーネスの取付具１０によれば、一組の腕部材１２，１３、ヒンジ１４，１５、及びベース部材１１を形成する樹脂材料がリブ６１を形成する材料よりも高硬度な樹脂材料であるから、腕部材１２，１３に設けられた係止爪３１，３３を確実にリブ６１に食い込ませることができ、取付具１０のリブ６１への取り付け強度を確保することができる。
【００６１】
尚、本発明は、上述した実施形態に限定されるものではなく、適宜、変形、改良等が可能である。
【図面の簡単な説明】
【００６２】
【図１】本発明に係る取付具及び被取付部材の一実施形態の斜視図である。
【図２】取付具の斜視図である。
【図３】一組の腕部材が開かれた状態を示す取付具の斜視図である。
【図４】図３とは反対側から見た取付具の斜視図である。
【図５】仮係止状態にある取付具の正面図である。
【図６】本係止状態にある取付具の正面図である。
【図７】仮係止状態で被取付部材に仮留めされた取付具の斜視図である。
【図８】被取付部材への取り付けが完了した本係止状態の取付具の斜視図である。
【図９】従来の取付具の斜視図である。
【符号の説明】
【００６３】
１０  取付具
１１  ベース部材
１２  腕部材
１３  腕部材
１４  ヒンジ
１５  ヒンジ
１７  上壁部
１８  下壁部
１９  受け面
２０  保持溝（保持部）
２１  抜け止め突起
２２  抜け止め突起
２３  対向面
２４  対向面
２５  雄ロック部（ロック手段）
２７  雌ロック部（ロック手段）
２８  係合部
２９  係合部
３１  係止爪
３３  係止爪
６０  バンパー（被取付部材）
６１  リブ（支持片）
７０  ワイヤハーネス
【図１】
2007215353.tif 000003
【図２】
2007215353.tif 000004
【図３】
2007215353.tif 000005
【図４】
2007215353.tif 000006
【図５】
2007215353.tif 000007
【図６】
2007215353.tif 000008
【図７】
2007215353.tif 000009
【図８】
2007215353.tif 000010
【図９】
2007215353.tif 000011